(57)【要約】【課題】バスやエレベータなどの移動物に搭載される場合において、ランプ内にあるアマルガム合金粒により、ランプ内の下側内壁面の蛍光体が剥がれる可能性が高く、この蛍光体が剥がれた跡により、ランプの見え方が悪くなることを解決する環形蛍光ランプを提供する。【解決手段】希ガス等の放電媒体が気密封止された環形バルブと、前記環形バルブ内壁に形成された蛍光体層と、前記環形バルブ内に放電を生起させる電極と、給電部を有して前記環形バルブの端部に設置された口金と、前記環形バルブ内に封入された水銀などの紫外線放射媒体を備える環形蛍光ランプにおいて、前記口金の給電部が上下に可動である。【選択図】図３
2017027750.tif 000002
【特許請求の範囲】
【請求項１】
希ガス等の放電媒体が気密封止された環形バルブと、前記環形バルブ内壁に形成された蛍光体層と、前記環形バルブ内に放電を生起させる電極と、給電部を有して前記環形バルブの端部に設置された口金と、前記環形バルブ内に封入された水銀などの紫外線放射媒体を備える環形蛍光ランプにおいて、
前記口金の給電部が、前記環形バルブ周方向水平に対し、上下に可動であることを特徴とする環形蛍光ランプ。
【請求項２】
前記蛍光体層が前記環形バルブ周方向水平に対し上下異なる発光色を持つ構成であることを特徴とする請求項１に記載の環形蛍光ランプ。
【請求項３】
前記環形バルブ周方向水平に対し、ランプが上下の向きを変えることに追従し、可動である前記口金の給電部が、自動で上に向くように動くことを特徴とする請求項１又は２に記載の環形蛍光ランプ。
【請求項４】
前記口金に、前記環形バルブ周方向水平に対するランプの上下を容易に判別できるようなしるしを具備することを特徴とする請求項１乃至３の何れか一項に記載の環形蛍光ランプ。
【請求項５】
前記環形バルブの電極と接続している２本のリード線の内、少なくとも１本が、前記口金内部で、絶縁性のスリーブを具備することを特徴とする請求項１乃至４の何れか一項に記載の環形蛍光ランプ。
【発明の詳細な説明】
【技術分野】
【０００１】
本発明は環形蛍光ランプに関する。
【背景技術】
【０００２】
一般に、蛍光ランプは単一色の発光色を持つ。２色以上の発光色を持つ直管形蛍光ランプとして、環形バルブ内壁に部分的に異なる蛍光塗料を塗布することと、ランプ点灯時にランプを回転させて向きを選択することで得られることが知られている。
【先行技術文献】
【特許文献】
【０００３】
【特許文献１】特開平４−１２９１６５号公報
【発明の概要】
【発明が解決しようとする課題】
【０００４】
近年、蛍光ランプの封入水銀量を低減する目的で、亜鉛などの金属と水銀とで合金化された粒（アマルガム合金粒）が広く用いられてきた。
【０００５】
蛍光ランプが、バスやエレベータなどの移動物に搭載される場合においては、ランプ内に前記アマルガム合金粒があると、この合金粒がランプ内を移動することにより、ランプ内の下側内壁面の蛍光体が剥がれる可能性が高くなり、この蛍光体が剥がれた跡により、ランプの見え方が悪くなる。
【０００６】
直管形蛍光ランプの場合は、ランプを管径方向に１８０°回転させることで、蛍光体が剥がれた面を上側に移動させ、下側にきれいな蛍光体面を位置させることが容易にできる。また、特許文献１に示されているような回転する受金（ソケット）部により、同様の解決を図ることができる。
【０００７】
しかし、直管形蛍光ランプの技術を環形蛍光ランプにも同様に適用しようとしても、通常の形態では解決できない。環形蛍光ランプにおいて、通常、照明器具の受金（ソケット）は、ランプの上方向から短い電線を伴い具備されるか、又は、器具に直接固定されているため、環形蛍光ランプを照明器具に設置するときは、口金の給電部を上に向けることになる。そのため、環形蛍光ランプを周方向水平に対して上下反転する際、口金上の給電部の位置も反転するため、照明器具の受金の取り付けが困難になる。
【０００８】
本発明の目的は、環形蛍光ランプにおいて、ランプ内にあるアマルガム合金粒により、ランプ内の下側内壁面の蛍光体が剥がれることがあっても、上側内壁面を下方向に位置させることで、ランプの見え方が悪くなることを解決する手段を提供する。
【課題を解決するための手段】
【０００９】
前記目的は、希ガス等の放電媒体が気密封止された環形バルブと、前記環形バルブ内壁に形成された蛍光体層と、前記環形バルブ内に放電を生起させる電極と、給電部を有して前記環形バルブの端部に設置された口金と、前記環形バルブ内に封入された水銀などの紫外線放射媒体を備える環形蛍光ランプにおいて、前記口金の給電部が上下に可動であることを特徴とする環形蛍光ランプにより、達成される。
【発明の効果】
【００１０】
本発明の環形蛍光ランプは、口金の給電部が、前記環形バルブ周方向水平に対し、上下に可動であるので、環形バルブの上下のどちらの側でも、下側に位置させることが可能となる。
【００１１】
請求項１は、希ガス等の放電媒体が気密封止された環形バルブと、前記環形バルブ内壁に形成された蛍光体層と、前記環形バルブ内に放電を生起させる電極と、給電部を有して前記環形バルブの端部に設置された口金と、前記環形バルブ内に封入された水銀などの紫外線放射媒体を備える環形蛍光ランプにおいて、前記口金の給電部が、前記環形バルブ周方向水平に対し、上下に可動であることを特徴とする環形蛍光ランプである。
【００１２】
環形蛍光ランプが、バスやエレベータなどの移動物に搭載される場合においては、ランプ内に前記アマルガム合金粒があると、この合金粒がランプ内を移動することにより、ランプ内の下側内壁面の蛍光体が剥がれる可能性が高く、この蛍光体が剥がれた跡により、ランプの見え方が悪くなる。しかし、本発明の環形蛍光ランプは、口金が可動なので、環形バルブ周方向水平に対して、上下を入れ替えて、蛍光体が剥がれていない上側内壁だった側が、下になるように取り付けて、きれいな内壁面を下に位置させるとき、照明器具の受金が容易に取り付けられる。
【００１３】
請求項２は、前記蛍光体層が前記環形バルブ周方向水平に対し上下異なる発光色を持つ構成であることを特徴とする請求項１に記載の環形蛍光ランプである。口金が上下に可動であるため、この上下で異なる発光色の蛍光体層を形成させることで、好みの色を下に位置させることができ、且つ、照明器具の受金を容易に取り付けられる。
【００１４】
請求項３は、環形バルブの周方向水平に対し、ランプが上下の向きを変えることに追従し、可動である前記口金の給電部が、自動で上に向くように動くことを特徴とする請求項１及び２に記載の環形蛍光ランプである。口金内の給電部と反対側の内側に、おもりなどの附属品を具備させることにより、環形バルブの周方向水平に対する上下が変わったときに、給電部がおのずと上側を向くように口金が動く。このおもりなどの附属品には、ガラス製のビー玉が使用可能であるが、絶縁性の素材で、口金が可動できるような形状、及び／又は質量をもつものであれば、これにこだわらない。
【００１５】
請求項４は、前記口金に、環形バルブの周方向水平に対するランプの上下を容易に判別できるようなしるしを具備することを特徴とする請求項１乃至３に記載の環形蛍光ランプである。どちらの側が下側であるかを容易に判別することが可能となる。
【００１６】
請求項５は、前記環形バルブの電極と接続している２本のリード線の内、少なくとも１本が、口金内部で、絶縁性のスリーブを具備することを特徴とする請求項１乃至４に記載の環形蛍光ランプである。口金が可動するとき、電極と接続する２本のリード線が接触した場合、電極への給電が止まってしまうため、ランプは始動及び点灯の継続ができなくなる。２本のリード線の内、少なくとも１本に、絶縁性のスリーブを具備させることで、本発明のランプが、不点灯となることを防止できる。
【図面の簡単な説明】
【００１７】
【図１】環形蛍光ランプの外観図である。
【図２】（ａ）従来の環形蛍光ランプにおける口金の給電部が上向きのときの外観図である。        （ｂ）従来の環形蛍光ランプにおける口金の給電部が下向きのときの外観図である。
【図３】（ａ）本発明の環形蛍光ランプにおける口金の給電部が上向きに可動した場合の外観図である。        （ｂ）本発明の環形蛍光ランプにおける口金の給電部が下向きに可動した場合の外観図である。
【図４】（ａ）本発明の環形蛍光ランプの環形バルブの一構造を示す断面図である。        （ｂ）本発明の環形蛍光ランプの環形バルブの他構造を示す断面図である。
【図５】１本のリード線に絶縁性のスリーブを具備させたマウントを示す外観図である。
【発明を実施するための形態】
【００１８】
本発明に係る環形蛍光ランプの実施例について図面を参照しながら以下で説明する。
【００１９】
図１は、本発明の実施例の環形蛍光ランプ１の外観図である。環形蛍光ランプ１は、環形バルブ１３と、口金２と、口金２に設けられた給電部３と、を有する。
【００２０】
図２（ａ）は、従来の環形蛍光ランプにおける口金の給電部が上向きのときの外観図である。（ｂ）は、従来の環形蛍光ランプにおける口金の給電部が下向きのときの外観図である。本発明の環形蛍光ランプ１と区別するため、従来の環形蛍光ランプは１００、環形バルブは１１３、口金は１０２、給電部は１０３とする。図２（ａ）（ｂ）では口金１０２が可動しないことを説明するため、環形バルブ１１３の周方向水平に対する上下を色分けして示している。つまり、従来の環形蛍光ランプにおいて、（ａ）のように、口金１０２の給電部１０３が、環形バルブのα側１０４にある構造のとき、口金１０２の給電部１０３を下に向けると（ｂ）のように環形バルブ１１３のα側１０４も下を向く。つまり、口金１０２の給電部１０３と環形バルブ１１３のα側１０４は、常に同じ側に位置する。図２の構造であると、環形バルブ１１３のβ側１０５が、蛍光体層が剥がれた側であるとき、環形バルブ１１３のα側１０４を下方向に位置させても、口金１０３の給電部１０３が下方向に向いているため、照明器具の受金が容易に取り付けられない状態となっている。
【００２１】
図３は、本発明の実施例の環形蛍光ランプ１の外観図である。これも、環形バルブ１３の周方向水平に対する上下を色分けして示した。つまり、（ａ）では、口金２の給電部が、環形バルブ１３のβ側５にあるが、本発明では、（ｂ）のように、口金２を可動させ、給電部３を、環形バルブ１３のα側４に位置させることができる。この口金２の可動により、図中で、環形バルブ１３のα側４及びβ側５のどちらを下方向に位置させても、環形蛍光ランプ１の口金２の給電部３を上方向に位置させることができるために、照明器具の受金が、容易に取り付けられる。
【００２２】
図４（ａ）は、本発明の環形蛍光ランプの環形バルブの一構造を示す断面図である。（ｂ）は、本発明の環形蛍光ランプの環形バルブの他構造を示す断面図である。
本発明の実施例の環形蛍光ランプ１の環形バルブ１３の断面の外観図である。６はガラス管を示し、７，８はそれぞれ蛍光体層αとβを示す。蛍光体層が環形バルブ周方向水平に対し上下異なる発光色を持つ構成である。（ａ）の構造では、環形バルブ１周方向水平に対し、α側４に蛍光体層α７、β側５に蛍光体層β８を形成させることで、環形バルブのα側４及びβ側で、異なる発光色を提供することができる。（ｂ）の構造では、ガラス管の全内面に１種類の蛍光体層α１４を形成させた後、β側５のみの内側に更に蛍光体層β１５を形成させることで、α側４及びβ側５に異なる発光色を持たせることができる。
【００２３】
また、口金２内の給電部３と反対側の内側に、おもりなどの附属品を具備させることにより、環形バルブ１３の周方向水平に対する上下が変わったときに、給電部３がおのずと上側を向くように口金２が動く。このおもりなどの附属品には、ガラス製のビー玉が使用可能であるが、絶縁性の素材で、口金２が可動できるような形状、及び／又は質量をもつものであれば、これにこだわらない。
【００２４】
本発明の環形蛍光ランプにおいて、環形バルブ１３周方向水平に対する上下に合わせて、例えば、口金２にしるしを付けておくことで、照射面としてどちらの側を使っているかが、分かりやすくなる効果がある。この上下を容易に判別できるようにするしるしは、ここに記述した口金２だけにはこだわらず、ランプマークの上下方向の向きなど、同様の判別ができる手段であれば、これを用いても良い。
【００２５】
図５では、電極１０と接続している２本のリード線１１、１２の内、１本のリード線１２に絶縁性のスリーブを具備させることを、マウント９と呼ぶ蛍光ランプの部品状態で示す。スリーブの長さは、マウント９の根本から口金の給電部３付近までの間を、充分に被覆するほどの長さであることが望ましい。
【符号の説明】
【００２６】
１  環形蛍光ランプ
２  口金
３  口金の給電部
４  環形バルブのα側
５  環形バルブのβ側
６  ガラス管
７  蛍光体層α
８  蛍光体層β
９  マウント
１０  電極
１１  リード線
１２  絶縁性のスリーブを具備するリード線
１３  環形バルブ
【図１】
2017027750.tif 000003
【図２】
2017027750.tif 000004
【図３】
2017027750.tif 000005
【図４】
2017027750.tif 000006
【図５】
2017027750.tif 000007